(57)【特許請求の範囲】
【請求項１】
複数の光信号が波長多重される波長多重光に対する前記光信号の挿入および分岐の少なくともいずれかを行う切替部と、
前記切替部に含まれる光経路に設けられ、供給される励起光を用いて前記光信号を増幅可能な複数の増幅器と、
前記励起光を生成する光源と、
前記光源によって生成された励起光を前記増幅器のいずれかへ供給する光スイッチと、
前記増幅器のうちの増幅能力が不足する増幅器を特定し、特定した前記増幅器へ前記励起光を供給するように前記光源および前記光スイッチを制御する制御部と、
を備えることを特徴とする光切替装置。
【請求項２】
前記切替部は、前記波長多重光を波長に応じて複数の光経路に振り分ける波長選択スイッチを含み、
前記複数の増幅器は、それぞれ前記複数の光経路に設けられていることを特徴とする請求項１に記載の光切替装置。
【請求項３】
複数の前記光源を備え、
前記光スイッチは、前記複数の光源によって生成された各励起光をそれぞれ前記増幅器のいずれかへ供給することを特徴とする請求項１または２に記載の光切替装置。
【請求項４】
前記光スイッチは、前記光源と前記複数の増幅器とを接続する光クロスコネクトであることを特徴とする請求項１〜３のいずれか一つに記載の光切替装置。
【請求項５】
前記制御部は、前記増幅器へ入力される各光信号の波長数を取得し、取得した前記各光信号の波長数に基づいて前記増幅能力が不足する増幅器を特定することを特徴とする請求項１〜４のいずれか一つに記載の光切替装置。
【請求項６】
前記切替部は、前記光信号を波長に応じて複数の光経路に振り分ける波長選択スイッチを含み、
前記制御部は、前記波長選択スイッチが前記複数の光経路に振り分ける各光信号の波長数を取得し、取得した前記各光信号の波長数に基づいて前記増幅能力が不足する増幅器を特定することを特徴とする請求項１〜４のいずれか一つに記載の光切替装置。
【請求項７】
前記増幅器のそれぞれは、自身の光源によって生成した内部励起光を用いて前記光信号を増幅し、
前記制御部は、前記増幅器の前記内部励起光のパワーを示す励起パワー情報を取得し、取得した前記励起パワー情報に基づいて前記増幅能力が不足する増幅器を特定することを特徴とする請求項１〜４のいずれか一つに記載の光切替装置。
【請求項８】
前記制御部は、前記増幅器が出力する光信号のパワーを示す出力パワー情報を取得し、取得した前記出力パワー情報に基づいて前記増幅能力が不足する増幅器を特定することを特徴とする請求項１〜４のいずれか一つに記載の光切替装置。
【請求項９】
請求項１〜８のいずれか一つに記載の光切替装置を複数接続して前記波長多重光を伝送することを特徴とする通信システム。
【発明の詳細な説明】
【技術分野】
【０００１】
本発明は、光切替装置および通信システムに関する。
【背景技術】
【０００２】
従来、光通信においては、ＷＤＭ（Ｗａｖｅｌｅｎｇｔｈ  Ｄｉｖｉｓｉｏｎ  Ｍｕｌｔｉｐｌｅｘｉｎｇ：波長分割多重）された光信号を伝送するＷＤＭネットワークが用いられている（たとえば、下記特許文献１参照。）。ＷＤＭネットワークにおいては、光信号を波長ごとに挿入分岐するＯＡＤＭ（Ｏｐｔｉｃａｌ  Ａｄｄ  Ｄｒｏｐ  Ｍｕｌｔｉｐｌｅｘｅｒ）やＲ−ＯＡＤＭ（Ｒｅｃｏｎｆｉｇｕｒａｂｌｅ−ＯＡＤＭ）などの光挿入分岐装置が用いられる。
【０００３】
光挿入分岐装置には、ＷＤＭネットワークを効率よく、フレキシブルに構築、変更、管理するための機能が求められる。たとえば、光挿入分岐装置には、ノード内での波長依存性（Ｃｏｌｏｒｅｄ）、方向依存性（Ｄｉｒｅｃｔｉｏｎａｌ）、同一波長の衝突（Ｃｏｎｔｅｎｔｉｏｎ）の制限を回避する機能が求められる。このような制限を回避する機能はＣＤＣ（Ｃｏｌｏｒｌｅｓｓ，Ｄｉｒｅｃｔｉｏｎｌｅｓｓ，Ｃｏｎｔｅｎｔｉｏｎｌｅｓｓ）機能と呼ばれる。
【０００４】
Ｃｏｌｏｒｌｅｓｓは、光挿入分岐装置の任意のポートに任意の波長を入力でき、任意のポートから任意の波長を出力できる機能を意味する。Ｄｉｒｅｃｔｉｏｎｌｅｓｓは、光挿入分岐装置が複数の方路を有する構成において、各端局からの光信号を任意の方路に導くことができ、各方路からの光信号を任意の端局に導くことができる機能を意味する。Ｃｏｎｔｅｎｔｉｏｎｌｅｓｓは、光挿入分岐装置内で同一波長の光信号の衝突を回避する機能を意味する。
【先行技術文献】
【特許文献】
【０００５】
【特許文献１】特開２０１０−０５６６７６号公報
【発明の概要】
【発明が解決しようとする課題】
【０００６】
しかしながら、上述した従来技術では、光信号の増幅を効率よく行うことができないという問題がある。特に、ＣＤＣ機能を実現する構成においては、光部品が多くなるため、経路の途中で増幅器を用いて光信号の損失を補償することになる。そして、ＣＤＣ機能を実現する構成においては多ポートの光部品が接続されるため、光信号の分岐、挿入の経路の数が多くなり、光部品の損失を補償するための増幅器の数も多くなる。
【０００７】
また、特に各チャンネルを収容（Ｄｒｏｐ）する側の経路においては、光信号が特定の経路に集中する可能性がある。さらに、光信号が集中する経路は運用によってフレキシブルに変更されるため、光信号が集中する経路を事前に特定することができない。このため、増幅器のそれぞれについて、光信号が集中した場合に備えて十分な能力を持たせることになり、増幅器のコストが高くなる。また、光信号が集中していない経路の増幅器においては能力が活用されないことになり、増幅器の稼働率が低くなる。
【０００８】
開示の光切替装置および通信システムは、上述した問題点を解消するものであり、光信号の増幅を効率よく行うことを目的とする。
【課題を解決するための手段】
【０００９】
上述した課題を解決し、目的を達成するため、開示技術は、複数の光信号が波長多重される波長多重光に対する前記光信号の挿入および分岐の少なくともいずれかを行う切替部と、前記切替部に含まれる光経路に設けられ、供給される励起光を用いて前記光信号を増幅可能な複数の増幅器と、前記励起光を生成する光源と、前記光源によって生成された励起光を前記増幅器のいずれかへ供給する光スイッチと、を備える。
【発明の効果】
【００１０】
開示の光切替装置および通信システムによれば、光信号の増幅を効率よく行うことができるという効果を奏する。
【図面の簡単な説明】
【００１１】
【図１】実施の形態にかかる光切替装置を示す図である。
【図２】光挿入分岐装置の実施例１を示す図である。
【図３】増幅器の具体例を示す図である。
【図４】光挿入分岐装置の一部の構成の具体例を示す図である。
【図５】図４に示した構成の動作例１を示す図である。
【図６】図４に示した構成の動作例２を示す図である。
【図７】図４に示した構成の動作例３を示す図である。
【図８】光挿入分岐装置を適用する通信システムの一例を示す図である。
【図９】光挿入分岐装置の変形例１を示す図である。
【図１０】図９に示した制御部による制御処理の例１を示すフローチャートである。
【図１１】図９に示した制御部による制御処理の例２を示すフローチャートである。
【図１２】図９に示した制御部による制御処理の例３を示すフローチャートである。
【図１３】光挿入分岐装置の変形例２を示す図である。
【図１４】図１３に示した制御部による制御処理の一例を示すフローチャートである。
【図１５】光挿入分岐装置の変形例３を示す図である。
【図１６】図１５に示した制御部による制御処理の一例を示すフローチャートである。
【図１７】光挿入分岐装置の変形例４を示す図である。
【図１８】図１７に示した制御部による制御処理の一例を示すフローチャートである。
【図１９】増幅器による制御処理の一例を示すフローチャートである。
【図２０】図１９に対応するＬＤバンクの制御処理の一例を示すフローチャートである。
【図２１】光挿入分岐装置の実施例２を示す図である。
【図２２】光挿入分岐装置の実施例３を示す図である。
【発明を実施するための形態】
【００１２】
以下に添付図面を参照して、開示技術の好適な実施の形態を詳細に説明する。
【００１３】
（実施の形態）
図１は、実施の形態にかかる光切替装置を示す図である。図１に示すように、実施の形態にかかる光切替装置１００は、切替部１１０と、複数の増幅器１１１と、光源１１２と、光スイッチ１１３と、を備えている。切替部１１０には、複数の光信号が波長多重される波長多重光が入力される。切替部１１０は、たとえば、入力された波長多重光に対する光信号の挿入を行う挿入部である。具体的には、切替部１１０は、入力された波長多重光に特定波長の光信号をアド（Ａｄｄ）して後段へ出力する。
【００１４】
または、切替部１１０は、入力された波長多重光に対する光信号の分岐を行う分岐部であってもよい。具体的には、切替部１１０は、入力された波長多重光に含まれる各波長の光信号のうちの特定波長の光信号をドロップし、他の波長の光信号を後段へスルー（ｔｈｒｏｕｇｈ）する。または、切替部１１０は、入力された波長多重光に対する光信号の挿入（Ａｄｄ）と、光信号の分岐（Ｄｒｏｐ）と、の両方を行う挿入分岐部であってもよい。この場合は、光切替装置１００はＯＡＤＭとして機能する。
【００１５】
複数の増幅器１１１は、切替部１１０に含まれる光経路に設けられ、光経路を通過する光信号を増幅する。また、増幅器１１１のそれぞれは、自身の外部から供給される励起光が入力される入力ポートを有する。そして、増幅器１１１のそれぞれは、入力ポートから入力された励起光を用いて光信号をさらに増幅することができる。たとえば、増幅器１１１のそれぞれは、切替部１１０の前段または後段の伝送路における光損失を補償する増幅器であってもよいし、切替部１１０の分岐／挿入ルートにおける光損失を補償する増幅器であってもよい。
【００１６】
光源１１２は、増幅器１１１へ供給するための励起光を生成する。光源１１２は、生成した励起光を光スイッチ１１３へ出力する。光源１１２は、たとえばＬＤ（Ｌａｓｅｒ  Ｄｉｏｄｅ：レーザーダイオード）である。光スイッチ１１３は、光源１１２から出力された励起光を複数の増幅器１１１のいずれかへ供給する。たとえば、光スイッチ１１３は、光源１１２と複数の増幅器１１１とを接続する光クロスコネクトである。
【００１７】
これにより、複数の増幅器１１１のうちの増幅能力が不足する増幅器に対して光源１１２からの励起光を光スイッチ１１３によって供給し、増幅能力の不足を補うことができる。したがって、切替部１１０における光信号の挿入または分岐の状況によって増幅器１１１のそれぞれへ入力される光信号の波長数が偏り、増幅器１１１のいずれかにおいて増幅能力が不足しても、増幅能力の不足を補うことができる。
【００１８】
また、光源１１２は複数設けられてもよい。この場合は、複数の光源１１２から出力された各励起光を、光スイッチ１１３によってそれぞれ増幅器１１１のいずれかへ供給する。これにより、増幅器１１１のうちの複数の増幅器で増幅能力が不足しても、複数の光源１１２からの各励起光を光スイッチ１１３によって供給し、増幅能力の不足を補うことができる。光源１１２の数は、たとえば増幅器１１１の数より少なくなるようにする。
【００１９】
このように、増幅器１１１のうちの増幅能力が不足する増幅器に対して、光源１１２からの励起光を光スイッチ１１３によって供給する。これにより、増幅器１１１のそれぞれが要求される可能性のある最大の増幅能力を有していなくても、増幅能力の不足を光源１１２からの励起光によって補うことができる。このため、要求される可能性のある最大の増幅能力より低い増幅能力の増幅器を増幅器１１１のそれぞれに用いることができる。
【００２０】
また、増幅器１１１のうちの増幅能力が不足する増幅器に対して、光源１１２からの励起光を光スイッチ１１３によって切り替えて供給することで、光源１１２の数が増幅器１１１の数より少なくても増幅能力の不足を補うことができる。このため、たとえば増幅器１１１のそれぞれが要求される可能性のある最大の増幅能力を有する構成に比べて、光信号の増幅を効率よく行うことができる。
【００２１】
図２は、光挿入分岐装置の実施例１を示す図である。図２に示す光挿入分岐装置２００は、図１に示した光切替装置１００の実施例である。光挿入分岐装置２００は、波長多重光に対する信号の挿入および分岐を行うＯＡＤＭである。ただし、図２においては光挿入分岐装置２００における光信号の分岐を行う構成について図示している。
【００２２】
図２において、点線矢印は制御信号を示している。光挿入分岐装置２００には、ｍ方路（たとえば８ｄｅｇｒｅｅ）から光信号（波長多重光）が入力されるとする。また、各方路から光挿入分岐装置２００へ入力される各光信号には、最大でＮ波長（たとえば９６波長）の光信号が波長多重されているとする。
【００２３】
光挿入分岐装置２００は、ＣＤＣ機能を持つ分岐部を備える。具体的には、光挿入分岐装置２００は、ｍ個の増幅器１１＃１〜１１＃ｍと、ｍ個のスプリッタ１２＃１〜１２＃ｍと、ｍ個の波長選択スイッチ１３＃１〜１３＃ｍと、ｍ×ｉ個の増幅器１４＃１１〜１４＃ｍｉと、ｍ×ｉ個のスプリッタ１５と、ｋ個のクロスコネクトスイッチ１６と、ｋ×ｊ個の可変フィルタ１７と、ｋ×ｊ個のトランスポンダ１８と、ｍ個のＬＤバンク１９＃１〜１９＃ｍと、を備えている。
【００２４】
増幅器１１＃１〜１１＃ｍおよび増幅器１４＃１１〜１４＃ｍｉは、図１に示した複数の増幅器１１１に対応する。スプリッタ１２＃１〜１２＃ｍ、波長選択スイッチ１３＃１〜１３＃ｍ、スプリッタ１５、クロスコネクトスイッチ１６および可変フィルタ１７は、図１に示した切替部１１０（分岐部）に対応する。ＬＤバンク１９＃１〜１９＃ｍは、図１に示した光源１１２および光スイッチ１１３に対応する。
【００２５】
ｍ個の増幅器１１＃１〜１１＃ｍは、それぞれ方路＃１〜＃ｍからの光信号を増幅する。増幅器１１＃１〜１１＃ｍは、増幅した光信号をそれぞれスプリッタ１２＃１〜１２＃ｍへ出力する。たとえば、増幅器１１＃１は、方路＃１からの光信号を増幅してスプリッタ１２＃１へ出力する。増幅器１１＃ｍは、方路＃ｍからの光信号を増幅してスプリッタ１２＃ｍへ出力する。
【００２６】
ｍ個のスプリッタ１２＃１〜１２＃ｍ（ＳＰＬ）は、それぞれ増幅器１１＃１〜１１＃ｍから出力された光信号をｍ個の光信号に分岐する１×ｍスプリッタである。スプリッタ１２＃１〜１２＃ｍは、分岐したｍ個の光信号の一つをそれぞれ波長選択スイッチ１３＃１〜１３＃ｍへ出力（Ｄｒｏｐ用）するとともに、分岐した残りの信号を他の方路の経路へ出力（ｔｈｒｏｕｇｈ用）する。
【００２７】
たとえば、スプリッタ１２＃１は、増幅器１１＃１から出力された光信号をｍ個の光信号に分岐し、分岐したｍ個の光信号の一つを波長選択スイッチ１３＃１へ出力する。スプリッタ１２＃ｍは、増幅器１１＃ｍから出力された光信号をｍ個の光信号に分岐し、分岐したｍ個の光信号の一つを波長選択スイッチ１３＃ｍへ出力する。
【００２８】
ｍ個の波長選択スイッチ１３＃１〜１３＃ｍ（ＷＳＳ：Ｗａｖｅｌｅｎｇｔｈ  Ｓｅｌｅｃｔｉｖｅ  Ｓｗｉｔｃｈ）は、それぞれスプリッタ１２＃１〜１２＃ｍから出力された光信号を波長に応じてｉ個の光信号に分離する１×ｉの波長選択スイッチである。波長選択スイッチ１３＃１〜１３＃ｍは、分離したｉ個の光信号をそれぞれ増幅器１４＃１１〜１４＃１ｉ，…，１４＃ｍ１〜１４＃ｍｉへ出力する。たとえば、波長選択スイッチ１３＃１は、分離したｉ個の光信号をそれぞれ増幅器１４＃１１〜１４＃１ｉへ出力する。また、波長選択スイッチ１３＃ｍは、分離したｉ個の光信号をそれぞれ増幅器１４＃ｍ１〜１４＃ｍｉへ出力する。
【００２９】
ｍ×ｉ個の増幅器１４＃１１〜１４＃１ｉ，…，１４＃ｍ１〜１４＃ｍｉは、それぞれ波長選択スイッチ１３＃１〜１３＃ｍから出力された光信号を増幅する。増幅器１４＃１１〜１４＃１ｉ，…，１４＃ｍ１〜１４＃ｍｉは、増幅した光信号をそれぞれｍ×ｉ個のスプリッタ１５へ出力する。
【００３０】
また、増幅器１４＃１１〜１４＃１ｉ，…，１４＃ｍ１〜１４＃ｍｉは、それぞれＬＤバンク１９＃１〜１９＃ｍから供給される励起光を用いて光信号をさらに増幅することができる。たとえば、増幅器１４＃１１〜１４＃１ｉは、ＬＤバンク１９＃１から供給される励起光を用いて光信号を増幅することができる。また、増幅器１４＃１１〜１４＃１ｉのそれぞれは、ＬＤバンク１９＃１から励起光が供給されている場合に、励起光のパワーを制御する制御信号をＬＤバンク１９＃１へ出力する。
【００３１】
また、増幅器１４＃ｍ１〜１４＃ｍｉは、ＬＤバンク１９＃ｍから供給される励起光を用いて光信号を増幅することができる。また、増幅器１４＃ｍ１〜１４＃ｍｉのそれぞれは、ＬＤバンク１９＃ｍから励起光が供給されている場合に、励起光のパワーを制御する制御信号をＬＤバンク１９＃ｍへ出力する。
【００３２】
ｍ×ｉ個のスプリッタ１５（ＳＰＬ）のそれぞれは、増幅器１４＃１１〜１４＃１ｉ，…，１４＃ｍ１〜１４＃ｍｉから出力された光信号をｎ個の光信号に分岐する１×ｎのスプリッタである。ｍ×ｉ個のスプリッタ１５は、分岐したｎ個の光信号をそれぞれｋ個のクロスコネクトスイッチへ出力する。
【００３３】
ｋ個のクロスコネクトスイッチ１６（ＯＸＣ：Ｏｐｔｉｃａｌ  ｃｒｏｓｓ  Ｃｏｎｎｅｃｔ）は、それぞれｍ×ｉ個のスプリッタ１５から出力された光信号の経路を切り替えるｊ×ｊのクロスコネクトスイッチである。ｋ個のクロスコネクトスイッチ１６は、経路を切り替えた光信号をそれぞれｋ×ｊ個の可変フィルタ１７へ出力する。
【００３４】
ｋ×ｊ個の可変フィルタ１７（ＴＦ：Ｔｕｎａｂｌｅ  Ｆｉｌｔｅｒ）は、それぞれｋ個のクロスコネクトスイッチ１６から出力された光信号の特定波長を抽出する。ｋ×ｊ個の可変フィルタ１７が抽出する特定波長は設定により変更することができる。ｋ×ｊ個の可変フィルタ１７は、抽出した光信号をそれぞれｋ×ｊ個のトランスポンダ１８へ出力する。
【００３５】
ｋ×ｊ個のトランスポンダ１８（ＴＲＰＮ：受信部）は、それぞれｋ×ｊ個の可変フィルタ１７から出力された光信号を受信する。ｋ×ｊ個のトランスポンダ１８は、それぞれグループＧ１〜Ｇｍに分けられている。
【００３６】
ｍ個のＬＤバンク１９＃１〜１９＃ｍは、ここではそれぞれ方路＃１〜＃ｍに対応して設けられている。ＬＤバンク１９＃１〜１９＃ｍは、それぞれ制御部１９＃１ａ〜１９＃ｍａと、ＬＤ１９＃１１〜１９＃１ｐ，…，１９＃ｍ１〜１９＃ｍｐと、光スイッチ１９＃１ｂ〜１９＃ｍｂと、を備えている。ＬＤ１９＃１１〜１９＃１ｐ，…，１９＃ｍ１〜１９＃ｍｐは、図１に示した光源１１２に対応する。光スイッチ１９＃１ｂ〜１９＃ｍｂは、図１に示した光スイッチ１１３に対応する。
【００３７】
たとえば、ＬＤバンク１９＃１は、制御部１９＃１ａと、ＬＤ１９＃１１〜１９＃１ｐと、光スイッチ１９＃１ｂと、を備えている。制御部１９＃１ａは、ＬＤ１９＃１１〜１９＃１ｐのそれぞれに対して駆動電流を出力することでＬＤ１９＃１１〜１９＃１ｐを制御する。また、制御部１９＃１ａは、増幅器１４＃１１〜１４＃１ｉから出力される制御信号に基づいて駆動電流を変化させることで、ＬＤ１９＃１１〜１９＃１ｐから出力される励起光のパワーを制御する。
【００３８】
また、制御部１９＃１ａは、光スイッチ１９＃１ｂを制御して、ＬＤ１９＃１１〜１９＃１ｐから出力される各励起光の供給先を切り替える。制御部１９＃１ａによるＬＤ１９＃１１〜１９＃１ｐおよび光スイッチ１９＃１ｂの制御は、たとえば制御部１９＃１ａに対するユーザの操作に従って行われる。
【００３９】
ｐ個のＬＤ１９＃１１〜１９＃１ｐのそれぞれは、制御部１９＃１ａから出力された駆動電流に応じたパワーの励起光を生成して光スイッチ１９＃１ｂへ出力する。ｐは、たとえば増幅器１４＃１１〜１４＃１ｉの数（ｍ）より少ない数である。光スイッチ１９＃１ｂ（ｐ×ｉ  ＳＷ）は、ＬＤ１９＃１１〜１９＃１ｐから出力される各励起光を増幅器１４＃１１〜１４＃１ｉのいずれかへ供給する光クロスコネクトである。
【００４０】
これにより、増幅器１４＃１１〜１４＃１ｉのうちの励起光パワーが不足する増幅器に対してＬＤバンク１９＃１からの励起光を供給することができる。ここではＬＤバンク１９＃１について説明したが、ＬＤバンク１９＃２〜１９＃ｍも同様に、それぞれ増幅器１４＃２１〜１４＃２ｉ，…，１４＃ｍ１〜１４＃ｍｉのうちの励起光パワーが不足する増幅器に対して励起光を供給することができる。
【００４１】
なお、図２に示した方路数、波長多重光に含まれる波長数、各ＬＤバンクを適用する範囲、各ＬＤの個数、各スイッチのポート数、各増幅器の位置などは一例を表すものである。したがって、図２に示した構成を種々変更することが可能である。たとえば、ＬＤバンク１９＃１〜１９＃ｍからの励起光の供給を受ける各増幅器は、増幅器１４＃１１〜１４＃１ｉ，…，１４＃ｍ１〜１４＃ｍｉに限らず、光信号を分岐する切替部の各経路に設けられた増幅器に適用することができる。
【００４２】
また、ＬＤバンク１９＃１〜１９＃ｍの個数（図２の例ではｍ）や光スイッチ１９＃１ｂ〜１９＃ｍｂのポート数は、励起光の供給先の増幅器の数や、励起光の供給先の各増幅器にあらかじめもたせておく増幅能力などによって最適な値が決められる。
【００４３】
図３は、増幅器の具体例を示す図である。図３に示す増幅器３００は、たとえば図２に示した増幅器１４＃１１〜１４＃１ｉに適用することができる。増幅器３００は、入力された光信号を増幅するとともに、外部から供給された励起光を用いて光信号をさらに増幅可能な増幅器である。増幅器３００は、増幅部３１０と、可変減衰器３２０と、増幅部３３０と、入力ポート３４１と、合成部３４２と、を備えている。
【００４４】
増幅部３１０は、分岐部３１１と、合成部３１２と、増幅媒体３１３と、分岐部３１４と、ＬＤ３１５と、ＰＤ３１６と、ＰＤ３１７と、ＡＧＣ制御部３１８と、を備えている。増幅器３００へ入力された光信号は分岐部３１１へ入力される。分岐部３１１は、入力された光信号を分岐し、分岐した各光信号をそれぞれ合成部３１２およびＰＤ３１６へ出力する。合成部３１２は、分岐部３１１から出力された光信号と、ＬＤ３１５から出力された励起光と、を合成して増幅媒体３１３へ出力する。
【００４５】
増幅媒体３１３は、合成部３１２から出力された光信号を、合成部３１２から光信号とともに入力された励起光のパワーに応じて増幅させる。増幅媒体３１３は、増幅させた光信号を分岐部３１４へ出力する。増幅媒体３１３は、たとえばエルビウムドープ光ファイバである。分岐部３１４は、増幅媒体３１３から出力された光信号を分岐し、分岐した各光信号をそれぞれ可変減衰器３２０およびＰＤ３１７へ出力する。ＬＤ３１５は、ＡＧＣ制御部３１８から出力される駆動信号に応じたパワーの励起光を生成し、生成した励起光を合成部３１２へ出力する。
【００４６】
ＰＤ３１６は、分岐部３１１から出力された光信号を受光し、受光した光信号のパワーに応じた電気信号をＡＧＣ制御部３１８へ出力する。したがって、ＰＤ３１６から出力される電気信号は、増幅媒体３１３による増幅前の光信号のパワーを示す。ＰＤ３１７は、分岐部３１４から出力された光信号を受光し、受光した光信号のパワーに応じた電気信号をＡＧＣ制御部３１８へ出力する。したがって、ＰＤ３１７から出力される電気信号は、増幅媒体３１３による増幅後の光信号のパワーを示す。
【００４７】
ＡＧＣ制御部３１８は、ＬＤ３１５へ駆動信号を出力することによってＬＤ３１５を駆動する。また、ＡＧＣ制御部３１８は、ＬＤ３１５へ出力する駆動信号を調節することで、ＬＤ３１５から出力される励起光のパワーを制御し、増幅部３１０から出力される光信号のパワーを制御するＡＰＣ（Ａｕｔｏ  Ｐｏｗｅｒ  Ｃｏｎｔｒｏｌ：自動強度制御）を行う。
【００４８】
たとえば、ＡＧＣ制御部３１８は、ＰＤ３１６から出力された電気信号のパワーと、ＰＤ３１７から出力された電気信号のパワーと、の差分を算出する。ＡＧＣ制御部３１８によって算出される差分は、増幅部３１０による光信号の利得を示す。ＡＧＣ制御部３１８は、算出した差分（利得）が所定の値になるように、ＬＤ３１５へ出力する駆動信号を調節する。これにより、増幅部３１０による光信号の利得を一定にすることができる。
【００４９】
可変減衰器３２０は、増幅部３１０から出力された光信号を可変の減衰量によって減衰させるＶＯＡ（Ｖａｒｉａｂｌｅ  Ｏｐｔｉｃａｌ  Ａｔｔｅｎｕａｔｏｒ：光可変減衰器）である。可変減衰器３２０は、減衰させた光信号を増幅部３３０へ出力する。
【００５０】
増幅部３３０は、分岐部３３１と、合成部３３２と、増幅媒体３３３と、分岐部３３４と、ＬＤ３３５と、ＰＤ３３６と、ＰＤ３３７と、ＡＧＣ制御部３３８と、を備えている。分岐部３３１，３３４、合成部３３２、増幅媒体３３３、ＬＤ３３５、ＰＤ３３６，３３７およびＡＧＣ制御部３３８はそれぞれ分岐部３１１，３１４、合成部３１２、増幅媒体３１３、ＬＤ３１５、ＰＤ３１６，３１７およびＡＧＣ制御部３１８と同様の構成である。ただし、分岐部３３１には、可変減衰器３２０から出力された光信号が入力される。また、分岐部３３４は、分岐した各光信号を合成部３４２およびＰＤ３３７へ出力する。
【００５１】
入力ポート３４１は、外部からの励起光が入力されるポートである。また、増幅器１４＃１１〜１４＃１ｉに適用される増幅器３００の入力ポート３４１は、ＬＤバンク１９＃１の光スイッチ１９＃１ｂの出力ポートの一つに接続されている。したがって、入力ポート３４１にはＬＤバンク１９＃１からの励起光が入力される。入力ポート３４１は、入力された励起光を合成部３４２へ出力する。
【００５２】
合成部３４２は、分岐部３３４から出力された光信号を増幅器３００の後段へ出力するとともに、入力ポート３４１から出力された励起光を分岐部３３４へ出力する。これにより、入力ポート３４１から入力された励起光が、増幅媒体３３３に対して光信号と逆方向に入力される。したがって、増幅媒体３３３を通過する光信号は、ＬＤ３３５からの励起光と、ＬＤバンク１９＃１から供給される励起光と、によって増幅される。
【００５３】
このため、ＡＧＣ制御部３３８のＡＧＣにおいてＬＤ３３５の励起光のパワーが不足しても、ＬＤバンク１９＃１からの励起光によって励起光のパワーの不足を補うことができる。たとえば、ＡＧＣ制御部３３８は、増幅器３００がＬＤバンク１９＃１からの励起光の供給を受けている場合に、ＬＤ３３５からの励起光のパワーを調節するとともに、ＬＤバンク１９＃１からの励起光のパワーを調節することでＡＰＣを行う。
【００５４】
ＬＤ３３５からの励起光のパワーを調節するために、ＡＧＣ制御部３３８は、たとえばＬＤ３３５からの励起光のパワーを増加、減少または維持することを指示する制御信号をＬＤバンク１９＃１へ出力する。これに対して、ＬＤバンク１９＃１の制御部１９＃１ａは、ＬＤ１９＃１１〜１９＃１ｐのうちの増幅器３００へ供給する励起光を生成するＬＤへの駆動電流を変化させる。これにより、ＬＤバンク１９＃１から増幅器３００へ供給する励起光のパワーを調節することができる。
【００５５】
なお、図３に示した増幅器３００は増幅器１４＃１１〜１４＃１ｉの一例であり、増幅器１４＃１１〜１４＃１ｉの構成はこれに限られない。たとえば、増幅器３００の増幅部３１０および可変減衰器３２０の少なくともいずれかを省いた構成を増幅器１４＃１１〜１４＃１ｉに適用してもよい。
【００５６】
ここでは増幅器３００を増幅器１４＃１１〜１４＃１ｉに適用する場合について説明したが、増幅器３００を増幅器１４＃２１〜１４＃２ｉ，…，１４＃ｍ１〜１４＃ｍｉに適用することもできる。これにより、増幅器１４＃２１〜１４＃２ｉ，…，１４＃ｍ１〜１４＃ｍｉにおいて内部ＬＤの励起光のパワーが不足しても、それぞれＬＤバンク１９＃２〜１９＃ｍからの励起光によって励起光のパワーの不足を補うことができる。
【００５７】
図４は、光挿入分岐装置の一部の構成の具体例を示す図である。図４においては、方路数（ｍ）を８ｄｅｇｒｅｅとした場合における方路＃１の波長選択スイッチ１３＃１、増幅器１４＃１１〜１４＃１ｉおよびＬＤバンク１９＃１について説明する。波長選択スイッチ１３＃１は１×８のスイッチとする。また、増幅器１４＃１１〜１４＃１ｉは８個の増幅器１４＃１１〜１４＃１８となる。
【００５８】
また、ＬＤバンク１９＃１のＬＤ１９＃１１〜１９＃１ｐは４個のＬＤ１９＃１１〜１９＃１４であるとする（ｐ＝４）。この場合は、ＬＤバンク１９＃１の光スイッチ１９＃１ｂは４×８のスイッチとなる。これにより、増幅器１４＃１１〜１４＃１８のうちの最大４個の増幅器において内部ＬＤの励起光のパワーが不足しても、ＬＤバンク１９＃１のＬＤ１９＃１１〜１９＃１４からの励起光によって励起光のパワーの不足を補うことができる（たとえば図５〜図７参照）。
【００５９】
図５は、図４に示した構成の動作例１を示す図である。図５において、図４に示した部分と同様の部分については同一の符号を付して説明を省略する。また、波長選択スイッチ１３＃１へ入力される光信号には最大で９６波長が含まれているとする（Ｎ＝９６）。また、増幅器１４＃１１〜１４＃１ｉのそれぞれは、自身の増幅能力によって２３波長までの光信号を増幅可能であるとする（図６，図７においても同様）。
【００６０】
図５に示すように、波長選択スイッチ１３＃１から増幅器１４＃１１〜１４＃１８へ出力される各光信号に含まれる波長数がそれぞれ４，１，１０，２０，１２，２３，２，５波長であるとする。この場合は、増幅器１４＃１１〜１４＃１８のそれぞれにおいて、入力される光信号の波長数が上限の２３波長以下であるため、ＬＤバンク１９＃１からの励起光の供給は行わなくてもよい。このため、ＬＤバンク１９＃１の制御部１９＃１ａは、ＬＤ１９＃１１〜１９＃１４のいずれにも駆動電流を出力しない。
【００６１】
図６は、図４に示した構成の動作例２を示す図である。図６において、図５に示した部分と同様の部分については同一の符号を付して説明を省略する。図６に示すように、波長選択スイッチ１３＃１から増幅器１４＃１１〜１４＃１８へ出力される各光信号に含まれる波長数がそれぞれ４，６，１０，２４，１２，３３，２，５波長になったとする。この場合は、増幅器１４＃１４，１４＃１６のそれぞれにおいて、入力される光信号の波長数が上限の２３波長を超える。
【００６２】
このため、増幅器１４＃１４，１４＃１６に対してＬＤバンク１９＃１からの励起光の供給を行う。具体的には、ＬＤバンク１９＃１の制御部１９＃１ａは、ＬＤ１９＃１１，１９＃１２へ駆動電流を出力する。これにより、ＬＤ１９＃１１，１９＃１２のそれぞれから光スイッチ１９＃１ｂへ励起光が出力される。また、制御部１９＃１ａは、ＬＤ１９＃１１を増幅器１４＃１６に接続するとともに、ＬＤ１９＃１２を増幅器１４＃１４に接続するように光スイッチ１９＃１ｂを制御する。
【００６３】
光スイッチ１９＃１ｂは、ＬＤ１９＃１１から出力された励起光を増幅器１４＃１６へ出力する。また、光スイッチ１９＃１ｂは、ＬＤ１９＃１２から出力された励起光を増幅器１４＃１４へ出力する。これにより、増幅器１４＃１４，１４＃１６のそれぞれは、ＬＤバンク１９＃１からの励起光を用いて、自身の上限の２３波長を超える波長数の光信号を増幅することができる。
【００６４】
図７は、図４に示した構成の動作例３を示す図である。図７において、図６に示した部分と同様の部分については同一の符号を付して説明を省略する。図７に示すように、波長選択スイッチ１３＃１から増幅器１４＃１１〜１４＃１８へ出力される各光信号に含まれる波長数がそれぞれ２４，０，０，２４，０，２４，２４，０波長になったとする。この場合は、増幅器１４＃１１，１４＃１４，１４＃１６，１４＃１７のそれぞれにおいて、入力される光信号の波長数が上限の２３波長を超える。
【００６５】
このため、増幅器１４＃１１，１４＃１４，１４＃１６，１４＃１７に対してＬＤバンク１９＃１からの励起光の供給を行う。具体的には、ＬＤバンク１９＃１の制御部１９＃１ａは、ＬＤ１９＃１１〜１９＃１４へ駆動電流を出力する。これにより、ＬＤ１９＃１１〜１９＃１４のそれぞれから光スイッチ１９＃１ｂへ励起光が出力される。また、制御部１９＃１ａは、ＬＤ１９＃１１を増幅器１４＃１６に接続するとともに、ＬＤ１９＃１２を増幅器１４＃１４に接続するように光スイッチ１９＃１ｂを制御する。また、制御部１９＃１ａは、ＬＤ１９＃１３を増幅器１４＃１７に接続するとともに、ＬＤ１９＃１４を増幅器１４＃１１に接続するように光スイッチ１９＃１ｂを制御する。
【００６６】
光スイッチ１９＃１ｂは、ＬＤ１９＃１１から出力された励起光を増幅器１４＃１６へ出力する。また、光スイッチ１９＃１ｂは、ＬＤ１９＃１２から出力された励起光を増幅器１４＃１４へ出力する。また、光スイッチ１９＃１ｂは、ＬＤ１９＃１３から出力された励起光を増幅器１４＃１７へ出力する。また、光スイッチ１９＃１ｂは、ＬＤ１９＃１４から出力された励起光を増幅器１４＃１１へ出力する。これにより、増幅器１４＃１１，１４＃１４，１４＃１６，１４＃１７のそれぞれは、ＬＤバンク１９＃１からの励起光を用いて、自身の上限の２３波長を超える波長数の光信号を増幅することができる。
【００６７】
このように、増幅器１４＃１１〜１４＃１８のそれぞれは、２３波長までの光信号を増幅する能力しか有していなくても、励起光のパワーが不足した場合にＬＤバンク１９＃１からの励起光の供給を受けることができる。このため、たとえば増幅器１４＃１１〜１４＃１８のそれぞれに９６波長までの光信号を増幅する能力を与える場合に比べて装置のコストを抑えることができる。
【００６８】
また、図４〜図７に示した例では、増幅器１４＃１１〜１４＃１８のうちの入力される光信号の波長数が上限の２３波長を超える増幅器は最大でも４つである。したがって、ＬＤバンク１９＃１に４つのＬＤ１９＃１１〜１９＃１４を設けておけば、増幅器１４＃１１〜１４＃１８における増幅能力の不足を補うことができる。
【００６９】
したがって、増幅器１４＃１１〜１４＃１８のそれぞれに追加のＬＤ（合計８個）を追加する場合に比べて、追加するＬＤの数を半分に減らすことができる。ただし、たとえば、ＬＤバンク１９＃１に設けるＬＤは初期状態で３個以下にしてもよい。そして、ネットワークの需要にあわせてＬＤバンク１９＃１にＬＤを追加していく運用も可能である。
【００７０】
また、増幅器１４＃１１〜１４＃１８のそれぞれの光信号を増幅する能力が２３波長以外の場合においても同様に、その能力に応じてＬＤバンク１９＃１のＬＤの数を最適な数に変えることで、装置のコストを抑えることができる。
【００７１】
図８は、光挿入分岐装置を適用する通信システムの一例を示す図である。図８に示す通信システム８００は、Ｒ−ＯＡＤＭノード８１１〜８１５を含んでいる。光挿入分岐装置２００は、たとえばＲ−ＯＡＤＭノード８１１〜８１５の少なくともいずれかに適用することができる。Ｒ−ＯＡＤＭノード８１１〜８１４はリング状に接続されている。また、Ｒ−ＯＡＤＭノード８１３，８１４，８１５もリング状に接続されている。Ｒ−ＯＡＤＭノード８１１〜８１４のそれぞれは、隣接するノードとの間で波長多重光を伝送する。
【００７２】
また、Ｒ−ＯＡＤＭノード８１１〜８１４のそれぞれは、監視制御用のＯＳＣ（Ｏｐｔｉｃａｌ  Ｓｕｐｅｒｖｉｓｏｒｙ  Ｃｈａｎｎｅｌ）を送受信する。これにより、Ｒ−ＯＡＤＭノード８１１〜８１４のそれぞれは、各方路からの波長多重光の波長数を示す波長数情報や、各方路からの波長多重光に含まれる各光信号の格納先（ドロップ先）を示す格納先情報などを取得することができる。
【００７３】
ＬＤバンク１９＃１の制御部１９＃１ａによるＬＤ１９＃１１〜１９＃１ｐおよび光スイッチ１９＃１ｂの制御を制御部１９＃１ａに対するユーザの操作に従って行う場合について説明したが、このような構成に限らない。たとえば、制御部１９＃１ａは、ＬＤ１９＃１１〜１９＃１ｐおよび光スイッチ１９＃１ｂを自動的に制御してもよい。
【００７４】
具体的には、制御部１９＃１ａは、各増幅器のうちの増幅能力が不足する増幅器を特定し、特定した増幅器へ励起光を供給するようにＬＤ１９＃１１〜１９＃１ｐおよび光スイッチ１９＃１ｂを制御する。ＬＤバンク１９＃２〜１９＃ｍの制御部１９＃２ａ〜１９＃ｍａについても同様である。
【００７５】
図９は、光挿入分岐装置の変形例１を示す図である。図９において、図２に示した構成と同様の構成については同一の符号を付して説明を省略する。図９に示すように、光挿入分岐装置２００は、図２に示した構成に加えてｍ個のＯＳＣ送受信部９１＃１〜９１＃ｍを備えている。ＯＳＣ送受信部９１＃１〜９１＃ｍは、それぞれ方路＃１〜＃ｍに関するＯＳＣをネットワークとの間で送受信する。たとえば、ＯＳＣ送受信部９１＃１は、方路＃１からの光信号に関する波長数情報および格納先情報をＯＳＣによって取得する。
【００７６】
波長数情報は、方路＃１から光挿入分岐装置２００へ入力される光信号に含まれる波長数（たとえば９６波長）を示す情報である。格納先情報は、方路＃１から光挿入分岐装置２００へ入力される光信号に含まれる各波長の光信号を、グループＧ１〜Ｇｍのうちのいずれのグループに格納（ドロップ）するかを示す情報である。たとえば、格納先情報は、光信号に含まれる各波長と、グループＧ１〜Ｇｍと、を対応付ける対応情報である。
【００７７】
ＯＳＣ送受信部９１＃１は、取得した波長数情報および格納先情報をＬＤバンク１９＃１へ出力する。また、ＯＳＣ送受信部９１＃１は、ＬＤバンク１９＃１から出力された切替完了信号をＯＳＣによってネットワークへ送信する。
【００７８】
ＬＤバンク１９＃１の制御部１９＃１ａは、ＯＳＣ送受信部９１＃１から出力された波長数情報および格納先情報に基づいてＬＤ１９＃１１〜１９＃１ｐおよび光スイッチ１９＃１ｂを制御する。また、制御部１９＃１ａは、ＬＤ１９＃１１〜１９＃１ｐおよび光スイッチ１９＃１ｂの制御が完了した場合に、経路の切替が完了したことを示す切替完了信号をＯＳＣ送受信部９１＃１へ出力してもよい。
【００７９】
図１０は、図９に示した制御部による制御処理の例１を示すフローチャートである。ここではＬＤバンク１９＃１の制御部１９＃１ａによる制御処理について説明するが、ＬＤバンク１９＃２〜１９＃ｍの制御部１９＃２ａ〜１９＃ｍａによる各制御処理についても同様である（図１１，図１２においても同様）。
【００８０】
ＬＤバンク１９＃１の制御部１９＃１ａは、たとえば起動時に図１０に示す制御処理を行う。まず、制御部１９＃１ａは、ＯＳＣ送受信部９１＃１を介して、方路＃１から光挿入分岐装置２００へ入力される光信号に関する波長数情報および格納先情報をＯＳＣによってネットワークから取得する（ステップＳ１００１）。
【００８１】
つぎに、制御部１９＃１ａは、ステップＳ１００１によって取得された波長数情報および格納先情報に基づいて、増幅器１４＃１１〜１４＃１ｉへ入力される各光信号の波長数を算出する（ステップＳ１００２）。増幅器１４＃１１〜１４＃１ｉによって増幅される各光信号はそれぞれグループＧ１〜Ｇｍに格納される。したがって、増幅器１４＃１１〜１４＃１ｉへ入力される各光信号の波長数は、格納先情報に基づいてグループＧ１〜Ｇｍに格納される各波長数を算出することによって算出することができる。
【００８２】
つぎに、制御部１９＃１ａは、増幅器１４＃１１〜１４＃１ｉのうちのステップＳ１００２によって算出された波長数が上限（たとえば２３波長）を超える増幅器を特定する（ステップＳ１００３）。すなわち、制御部１９＃１ａは、増幅器１４＃１１〜１４＃１ｉのうちの増幅能力が不足する増幅器を特定する。つぎに、制御部１９＃１ａは、光スイッチ１９＃１ｂを切り替えて、ステップＳ１００３によって特定された増幅器に対してＬＤ１９＃１１〜１９＃１４のいずれかを接続する（ステップＳ１００４）。
【００８３】
つぎに、制御部１９＃１ａは、ＬＤ１９＃１１〜１９＃１４のうちのステップＳ１００４によって増幅器に接続されたＬＤを駆動する（ステップＳ１００５）。つぎに、制御部１９＃１ａは、ステップＳ１００５によって駆動されたＬＤの励起光のパワーを、駆動電流を制御することによって調節し（ステップＳ１００６）、一連の処理を終了する。
【００８４】
このように、制御部１９＃１ａは、増幅器１４＃１１〜１４＃１ｉへ入力される各光信号の波長数を取得し、取得した各光信号の波長数に基づいて増幅能力が不足する増幅器を特定する。そして、制御部１９＃１ａは、特定した増幅器へ励起光を供給するようにＬＤ１９＃１１〜１９＃１ｐおよび光スイッチ１９＃１ｂを制御する。
【００８５】
図１１は、図９に示した制御部による制御処理の例２を示すフローチャートである。ＬＤバンク１９＃１の制御部１９＃１ａは、たとえば光挿入分岐装置２００の運用中に増幅器の増幅能力が不足する場合に、図１１に示す制御処理を行う。まず、制御部１９＃１ａは、ＯＳＣ送受信部９１＃１を介して、方路＃１から光挿入分岐装置２００へ入力される光信号に関する変更後の波長数情報および格納先情報をＯＳＣによってネットワークから取得する（ステップＳ１１０１）。
【００８６】
変更後の波長数情報および格納先情報は、たとえばネットワークにおいて波長再配置などがあり、波長数や格納先が変更される場合にあらかじめネットワークから送信される変更情報である。変更後の波長数情報および格納先情報は、方路＃１から光挿入分岐装置２００へ入力される光信号の変更後の波長数や各波長の格納先を示す情報である。
【００８７】
図１１に示すステップＳ１１０２〜Ｓ１１０５は、図１０に示したステップＳ１００２〜Ｓ１００５と同様である。ステップＳ１１０５のつぎに、制御部１９＃１ａは、切替完了信号をＯＳＣによってネットワークへ送信し（ステップＳ１１０６）、一連の処理を終了する。図１１に示した処理により、たとえばネットワークにおいて波長再配置などがある場合に、制御部１９＃１ａは、増幅器１４＃１１〜１４＃１ｉへ入力される各光信号の波長数の変更を示す変更情報を、各光信号の波長数の変更の前に取得する。
【００８８】
そして、制御部１９＃１ａは、取得した変更情報に基づいて、増幅器１４＃１１〜１４＃１ｉのうちの励起光のパワーが不足する増幅器をあらかじめ特定する。また、制御部１９＃１ａは、特定した増幅器にあらかじめＬＤバンク１９＃１のＬＤ１９＃１１〜１９＃１４のいずれかを接続し、接続したＬＤを駆動しておく。これにより、切り替えからの復旧時間を短くし、よりフレキシブルで消費電力を抑えた構成とすることができる。
【００８９】
図１２は、図９に示した制御部による制御処理の例３を示すフローチャートである。制御部１９＃１ａは、たとえば運用中に、ＬＤバンク１９＃１による増幅器への励起光の供給が不要になる場合に、図１２に示す制御処理を行う。図１２に示すステップＳ１２０１，Ｓ１２０２は、図１１に示したステップＳ１１０１，Ｓ１１０２と同様である。
【００９０】
ステップＳ１２０２のつぎに、制御部１９＃１ａは、ＬＤバンク１９＃１から励起光を供給している増幅器のうちのステップＳ１２０２によって算出された波長数が上限（たとえば２３波長）を下回る増幅器を特定する（ステップＳ１２０３）。すなわち、制御部１９＃１ａは、増幅器１４＃１１〜１４＃１ｉのうちの励起光の供給が不要になる増幅器を特定する。つぎに、制御部１９＃１ａは、ＯＳＣ送受信部９１＃１を介して、切替完了信号をＯＳＣによってネットワークへ送信する（ステップＳ１２０４）。
【００９１】
つぎに、制御部１９＃１ａは、波長再配置などによって増幅器１４＃１１〜１４＃１ｉへ入力される各光信号の波長数が変更されるまで待機する（ステップＳ１２０５）。つぎに、制御部１９＃１ａは、ステップＳ１２０３によって特定された増幅器へ供給する励起光のパワーを低下させていく（ステップＳ１２０６）。これに対して、ステップＳ１２０３によって特定された増幅器は、内部ＬＤの励起光のパワーを増幅器の出力レベルが変わらないようにバランスをとりながら増加させていく。
【００９２】
ステップＳ１２０３によって特定された増幅器へ供給する励起光のパワーがステップＳ１２０６によってゼロになると、制御部１９＃１ａは、光スイッチ１９＃１ｂを切り替えて、励起光のパワーがゼロになったＬＤを増幅器から切断し（ステップＳ１２０７）、一連の処理を終了する。このように、制御部１９＃１ａは、ＬＤバンク１９＃１による増幅器への励起光の供給が不要になる場合は、波長再配置が行われるまで待機してからＬＤおよび光スイッチ１９＃１ｂの制御を行ってもよい。
【００９３】
図１３は、光挿入分岐装置の変形例２を示す図である。図１３において、図２に示した構成と同様の構成については同一の符号を付して説明を省略する。図１３に示すように、光挿入分岐装置２００の波長選択スイッチ１３＃１〜１３＃ｍは、それぞれ増幅器１４＃１１〜１４＃１ｉ，…，１４＃ｍ１〜１４＃ｍｉへ振り分けて出力した各光信号の波長数を示す波長数情報をＬＤバンク１９＃１〜１９＃ｍへ出力する。たとえば、光挿入分岐装置２００の波長選択スイッチ１３＃１は、増幅器１４＃１１〜１４＃１ｉへ出力した各光信号の波長数を示す波長数情報をそれぞれＬＤバンク１９＃１へ出力する。
【００９４】
ＬＤバンク１９＃１〜１９＃ｍの制御部１９＃１ａ〜１９＃ｍａは、それぞれ波長選択スイッチ１３＃１〜１３＃ｍから出力された波長数情報に基づく制御を行う。たとえば、制御部１９＃１ａは、波長選択スイッチ１３＃１から出力された波長数情報に基づいてＬＤ１９＃１１〜１９＃１ｐおよび光スイッチ１９＃１ｂを制御する。
【００９５】
図１４は、図１３に示した制御部による制御処理の一例を示すフローチャートである。ここではＬＤバンク１９＃１の制御部１９＃１ａによる制御処理について説明するが、ＬＤバンク１９＃２〜１９＃ｍの制御部１９＃２ａ〜１９＃ｍａによる各制御処理についても同様である。図１３に示したＬＤバンク１９＃１の制御部１９＃１ａは、たとえば図１４に示す制御処理を行う。
【００９６】
まず、制御部１９＃１ａは、増幅器１４＃１１〜１４＃１ｉ（各増幅器）へ入力される各光信号の波長数を示す波長数情報を波長選択スイッチ１３＃１から取得する（ステップＳ１４０１）。つぎに、制御部１９＃１ａは、ステップＳ１４０１によって取得された波長数情報に基づいて、増幅器１４＃１１〜１４＃１ｉのうちの入力される光信号の波長数が上限（たとえば２３波長）を超える増幅器を特定する（ステップＳ１４０２）。
【００９７】
図１４に示すステップＳ１４０３〜Ｓ１４０５は、図１０に示したステップＳ１００４〜Ｓ１００６と同様である。このように、制御部１９＃１ａは、波長選択スイッチ１３＃１が複数の光経路に振り分ける各光信号の波長数を取得する。そして、制御部１９＃１ａは、取得した各光信号の波長数に基づいて、増幅器１４＃１１〜１４＃１ｉのうちの増幅能力が不足する増幅器を特定する。
【００９８】
図１５は、光挿入分岐装置の変形例３を示す図である。図１５において、図２に示した構成と同様の構成については同一の符号を付して説明を省略する。図１５に示すように、光挿入分岐装置２００の増幅器１４＃１１〜１４＃１ｉ，…，１４＃ｍ１〜１４＃ｍｉは、自身のＡＰＣの状態を示す出力パワー情報または励起パワー情報をそれぞれＬＤバンク１９＃１〜１９＃ｍへ出力する。たとえば、増幅器１４＃１１〜１４＃１ｉのそれぞれは、出力パワー情報または励起パワー情報をＬＤバンク１９＃１へ出力する。
【００９９】
出力パワー情報は、たとえば、増幅器１４＃１１〜１４＃１ｉ，…，１４＃ｍ１〜１４＃ｍｉが出力する光信号のパワーを示す情報である。増幅器１４＃１１〜１４＃１ｉ，…，１４＃ｍ１〜１４＃ｍｉのＡＧＣ制御部３３８（図３参照）は、自身のＡＰＣによって取得される出力パワーを示す情報（たとえば図３に示したＰＤ３３７の出力）を出力パワー情報としてそれぞれＬＤバンク１９＃１〜１９＃ｍへ出力する。
【０１００】
励起パワー情報は、たとえば、増幅器１４＃１１〜１４＃１ｉ，…，１４＃ｍ１〜１４＃ｍｉの内部ＬＤ（たとえば図３に示したＬＤ３３５）が生成する内部励起光のパワーを示す情報である。増幅器１４＃１１〜１４＃１ｉ，…，１４＃ｍ１〜１４＃ｍｉのＡＧＣ制御部３３８（図３参照）は、各増幅器の内部ＬＤへ入力している駆動電流の電流値を示す情報を励起パワー情報としてそれぞれＬＤバンク１９＃１〜１９＃ｍへ出力する。
【０１０１】
ＬＤバンク１９＃１〜１９＃ｍの制御部１９＃１ａ〜１９＃ｍａは、それぞれ増幅器１４＃１１〜１４＃１ｉ，…，１４＃ｍ１〜１４＃ｍｉから出力された出力パワー情報または励起パワー情報に基づく制御を行う。たとえば、制御部１９＃１ａは、増幅器１４＃１１〜１４＃１ｉから出力された出力パワー情報または励起パワー情報に基づいてＬＤ１９＃１１〜１９＃１ｐおよび光スイッチ１９＃１ｂを制御する。具体的には、制御部１９＃１ａは、増幅器１４＃１１〜１４＃１ｉのうちの出力パワー情報または励起パワー情報が閾値を超えた増幅器に対して励起光を供給するように、ＬＤ１９＃１１〜１９＃１ｐおよび光スイッチ１９＃１ｂを制御する。
【０１０２】
図１６は、図１５に示した制御部による制御処理の一例を示すフローチャートである。ここではＬＤバンク１９＃１の制御部１９＃１ａによる制御処理について説明するが、ＬＤバンク１９＃２〜１９＃ｍの制御部１９＃２ａ〜１９＃ｍａによる各制御処理についても同様である。図１５に示したＬＤバンク１９＃１の制御部１９＃１ａは、たとえば図１６に示す制御処理を行う。
【０１０３】
まず、制御部１９＃１ａは、増幅器１４＃１１〜１４＃１ｉの出力パワー情報または励起パワー情報を増幅器１４＃１１〜１４＃１ｉ（各増幅器）から取得する（ステップＳ１６０１）。つぎに、制御部１９＃１ａは、ステップＳ１６０１によって取得された出力パワー情報または励起パワー情報が閾値を超える増幅器を特定する（ステップＳ１６０２）。図１６に示すステップＳ１６０３〜Ｓ１６０５は、図１４に示したステップＳ１４０３〜Ｓ１４０５と同様である。
【０１０４】
このように、制御部１９＃１ａは、増幅器１４＃１１〜１４＃１ｉの励起パワー情報を取得し、取得した励起パワー情報に基づいて、増幅能力が不足する増幅器を特定する。または、制御部１９＃１ａは、増幅器１４＃１１〜１４＃１ｉが出力する光信号のパワーを示す出力パワー情報を取得し、取得した出力パワー情報に基づいて増幅能力が不足する増幅器を特定する。
【０１０５】
図１７は、光挿入分岐装置の変形例４を示す図である。図１７において、図２に示した構成と同様の構成については同一の符号を付して説明を省略する。図１７に示すように、光挿入分岐装置２００のｋ×ｊ個のトランスポンダ１８は、自身が受信した光信号のパワーを示す受信パワー情報をＬＤバンク１９＃１〜１９＃ｍのそれぞれへ出力する。ＬＤバンク１９＃１〜１９＃ｍの制御部１９＃１ａ〜１９＃ｍａのそれぞれは、ｋ×ｊ個のトランスポンダ１８から出力された受信パワー情報に基づく制御を行う。
【０１０６】
図１８は、図１７に示した制御部による制御処理の一例を示すフローチャートである。ここではＬＤバンク１９＃１の制御部１９＃１ａによる制御処理について説明するが、ＬＤバンク１９＃２〜１９＃ｍの制御部１９＃２ａ〜１９＃ｍａによる各制御処理についても同様である。図１７に示したＬＤバンク１９＃１の制御部１９＃１ａは、たとえば光挿入分岐装置２００の運用中に図１８に示す制御処理を行う。
【０１０７】
まず、制御部１９＃１ａは、ｋ×ｊ個のトランスポンダ１８の受信パワー情報を各トランスポンダから取得する（ステップＳ１８０１）。つぎに、制御部１９＃１ａは、ｋ×ｊ個のトランスポンダ１８のうちの、ステップＳ１８０１によって取得された受信パワー情報が閾値を下回るトランスポンダを特定する（ステップＳ１８０２）。
【０１０８】
つぎに、制御部１９＃１ａは、ステップＳ１８０２によって特定されたトランスポンダに対応する増幅器を特定する（ステップＳ１８０３）。トランスポンダに対応する増幅器は、トランスポンダへ出力される光信号を増幅する増幅器である。たとえば、トランスポンダ１８のそれぞれはグループＧ１〜Ｇｍのいずれかに属しており、グループＧ１〜Ｇｍはそれぞれ増幅器１４＃１１〜１４＃１ｉに対応している。したがって、制御部１９＃１ａは、特定されたトランスポンダが属するグループに対応する増幅器を特定する。
【０１０９】
図１８に示すステップＳ１８０４〜Ｓ１８０６は、図１４に示したステップＳ１４０３〜Ｓ１４０５と同様である。このように、制御部１９＃１ａは、ｋ×ｊ個のトランスポンダ１８（複数の受信部）のうちの光信号の受信パワーが閾値を下回る受信部を特定する。そして、制御部１９＃１ａは、増幅器１４＃１１〜１４＃１ｉのうちの、特定した受信部に対応する増幅器を特定する。
【０１１０】
図１５，図１６において、増幅器１４＃１１〜１４＃１ｉの励起パワー情報や出力パワー情報に基づいて増幅能力が不足する増幅器をＬＤバンク１９＃１〜１９＃ｍが特定する例について説明したが、増幅能力が不足するか否かを各増幅器が判断してもよい。増幅器１４＃１１〜１４＃１ｉは、自身の増幅能力が不足すると判断した場合に、それぞれＬＤバンク１９＃１〜１９＃ｍに対して励起光のリクエスト信号を送信する。ＬＤバンク１９＃１〜１９＃ｍは、リクエスト信号を送信した増幅器に対して励起光を供給する。
【０１１１】
図１９は、増幅器による制御処理の一例を示すフローチャートである。ここでは増幅器１４＃１１による制御処理について説明するが、増幅器１４＃１２〜１４＃１ｉの制御処理についても同様である。増幅器１４＃１１のＡＧＣ制御部３３８（図３参照）は、たとえば図１９に示す制御処理を行う。まず、ＡＧＣ制御部３３８は、内部ＬＤ（たとえば図３に示したＬＤ３３５）の出力パワーが最大パワーか否かを判断し（ステップＳ１９０１）、出力パワーが最大パワーになるまで待つ（ステップＳ１９０１：Ｎｏのループ）。
【０１１２】
出力パワーが最大パワーになると（ステップＳ１９０１：Ｙｅｓ）、ＡＧＣ制御部３３８は、ＬＤバンク１９＃１へリクエスト信号を送信する（ステップＳ１９０２）。これにより、ＬＤバンク１９＃１から増幅器１４＃１１へ励起光が供給され、増幅器１４＃１１が光信号を十分に増幅することができる。
【０１１３】
さらに、ＡＧＣ制御部３３８は、ステップＳ１９０２の後に、内部ＬＤの励起光とＬＤバンク１９＃１からの励起光との各励起光のパワー比率を所定の比率に調節する処理を行ってもよい（ステップＳ１９０３）。所定の比率については、たとえば、増幅器１４＃１１によって出力される光信号の各波長の成分が平坦になる比率をあらかじめ実験によって決定し、ＡＧＣ制御部３３８に設定しておく。これにより、増幅器１４＃１１から出力される光信号の各波長の成分を平坦にし、信号品質を向上させることができる。この場合は、ＡＧＣ制御部３３８は、内部ＬＤの励起光とＬＤバンク１９＃１からの励起光との各励起光の各パワーを、各パワーの比率を所定の比率に維持しつつ制御することによってＡＰＣを行う。
【０１１４】
または、ＡＧＣ制御部３３８は、ステップＳ１９０２の後に、内部ＬＤの励起光のパワーを固定（たとえば最大パワーに固定）しつつ、ＬＤバンク１９＃１からの励起光のパワーを制御することによってＡＰＣを行ってもよい。
【０１１５】
ここでは、増幅器１４＃１１の内部ＬＤの出力パワーが最大パワーになった場合にＬＤバンク１９＃１へリクエスト信号を送信する例について説明したが、このような処理に限らない。たとえば、ＡＧＣ制御部３３８は、ＰＤ３３７から出力される電気信号（上述した出力パワー情報）またはＬＤ３３５へ出力する駆動電流の電流値（上述した励起パワー情報）が閾値を超えた場合にＬＤバンク１９＃１へリクエスト信号を送信してもよい。
【０１１６】
図２０は、図１９に対応するＬＤバンクの制御処理の一例を示すフローチャートである。ここではＬＤバンク１９＃１による制御処理について説明するが、ＬＤバンク１９＃２〜１９＃ｍの制御処理についても同様である。ＬＤバンク１９＃２の制御部１９＃１ａは、たとえば図２０に示す制御処理を行う。
【０１１７】
まず、制御部１９＃１ａは、増幅器１４＃１１〜１４＃１ｉのいずれかからのリクエスト信号を受信したか否かを判断し（ステップＳ２００１）、リクエスト信号を受信するまで待つ（ステップＳ２００１：Ｎｏのループ）。リクエスト信号を受信すると（ステップＳ２００１：Ｙｅｓ）、制御部１９＃１ａは、ＬＤ１９＃１１〜１９＃１ｐのうちの停止中の（駆動していない）ＬＤがあるか否かを判断する（ステップＳ２００２）。
【０１１８】
ステップＳ２００２において、ＬＤ１９＃１１〜１９＃１ｐのうちの停止中のＬＤがある場合（ステップＳ２００２：Ｙｅｓ）は、制御部１９＃１ａは、光スイッチ１９＃１ｂを切り替えて、停止中のＬＤをリクエスト信号の送信元の増幅器へ接続する（ステップＳ２００３）。図２０に示すステップＳ２００４，Ｓ２００５は、図１４に示したステップＳ１４０５，Ｓ１４０６と同様である。
【０１１９】
ステップＳ２００２において、ＬＤ１９＃１１〜１９＃１ｐのうちの停止中のＬＤがない場合（ステップＳ２００２：Ｎｏ）は、制御部１９＃１ａは、メッセージをユーザへ出力し（ステップＳ２００６）、一連の処理を終了する。ステップＳ２００４によって出力されるメッセージは、たとえば光信号を十分に増幅できない旨のメッセージや、ＬＤバンク１９＃２〜１９＃ｍにＬＤを増設すべき旨のメッセージなどである。
【０１２０】
図２１は、光挿入分岐装置の実施例２を示す図である。図２１において、図２に示した構成と同様の構成については同一の符号を付して説明を省略する。図２１に示すように、光挿入分岐装置２００は、図２に示したＬＤバンク１９＃１〜１９＃ｍに代えてＬＤバンク１９を備えていてもよい。ＬＤバンク１９は、図２に示したＬＤバンク１９＃１〜１９＃ｍの機能をまとめた構成であり、方路＃１〜＃ｍのすべてに対応して設けられている。
【０１２１】
ＬＤバンク１９は、制御部１９ａと、ＬＤ１９＃１〜１９＃ｐと、光スイッチ１９ｂと、を備えている。制御部１９ａは、ＬＤ１９＃１〜１９＃ｐに駆動電流を出力することでＬＤ１９＃１〜１９＃ｐを駆動する。また、制御部１９ａは、増幅器１４＃１１〜１４＃１ｉ，…，１４＃ｍ１〜１４＃ｍｉから出力される制御信号に基づいて駆動電流を変化させることで、ＬＤ１９＃１〜１９＃ｐから出力される励起光のパワーを制御する。
【０１２２】
また、制御部１９ａは、光スイッチ１９ｂを制御して、ＬＤ１９＃１〜１９＃ｐから出力される各励起光の供給先を切り替える。制御部１９ａによるＬＤ１９＃１〜１９＃ｐおよび光スイッチ１９ｂの制御は、たとえば制御部１９ａに対するユーザの操作に従って行われる。または、制御部１９ａは、ＬＤ１９＃１〜１９＃ｐおよび光スイッチ１９＃１ｂを自動的に制御してもよい。
【０１２３】
ｐ個のＬＤ１９＃１〜１９＃ｐのそれぞれは、制御部１９ａから出力された駆動電流に応じた励起光を生成して光スイッチ１９ｂへ出力する。ｐは、たとえば増幅器１４＃１１〜１４＃１ｉ，…，１４＃ｍ１〜１４＃ｍｉの数（ｍ×ｍ）より少ない数である。光スイッチ１９ｂ（ｐ×ｍｉ  ＳＷ）は、ＬＤ１９＃１〜１９＃ｐから出力される各励起光を増幅器１４＃１１〜１４＃１ｉ，…，１４＃ｍ１〜１４＃ｍｉのいずれかへ供給する光クロスコネクトである。
【０１２４】
これにより、増幅器１４＃１１〜１４＃１ｉ，…，１４＃ｍ１〜１４＃ｍｉのうちの励起光パワーが不足する増幅器に対してＬＤバンク１９からの励起光を供給することができる。また、図２１に示した光挿入分岐装置２００に対して、図３〜図２０に示した光挿入分岐装置２００の具体例や変形例などを適用することができる。
【０１２５】
図２２は、光挿入分岐装置の実施例３を示す図である。図２２に示す光挿入分岐装置２００は図１に示した光切替装置１００の実施例である。ただし、図２２においては光挿入分岐装置２００における光信号の挿入を行う構成について図示している。図２２において、点線矢印は制御信号を示している。光挿入分岐装置２００は、ｍ方路（たとえば８ｄｅｇｒｅｅ）へ光信号（波長多重光）を出力するとする。また、光挿入分岐装置２００が各方路へ出力する各光信号には、最大でＮ波長（たとえば９６波長）の光信号が波長多重されるとする。
【０１２６】
光挿入分岐装置２００は、ＣＤＣ機能を持つ挿入部を備える。具体的には、光挿入分岐装置２００は、ｋ×ｊ個のトランスポンダ２１と、ｋ×ｊ個の可変フィルタ２２と、ｋ個のクロスコネクトスイッチ２３と、ｍ×ｉ個のカプラ２４と、ｍ×ｉ個の増幅器２５＃１１〜２５＃ｍｉと、ｍ個の波長選択スイッチ２６＃１〜２６＃ｍと、ｍ個のカプラ２７＃１〜２７＃ｍと、ｍ個の増幅器２８＃１〜２８＃ｍと、ｍ個のＬＤバンク２９＃１〜２９＃ｍと、を備えている。
【０１２７】
増幅器２５＃１１〜２５＃ｍｉは、図１に示した複数の増幅器１１１に対応する。可変フィルタ２２、クロスコネクトスイッチ２３、カプラ２４、波長選択スイッチ２６＃１〜２６＃ｍおよびカプラ２７＃１〜２７＃ｍは、図１に示した切替部１１０（挿入部）に対応する。ＬＤバンク２９＃１〜２９＃ｍは、図１に示した光源１１２および光スイッチ１１３に対応する。
【０１２８】
ｋ×ｊ個のトランスポンダ２１（ＴＲＰＮ：送信部）は、光信号をｋ×ｊ個の可変フィルタ２２へ出力する。ｋ×ｊ個の可変フィルタ２２（ＴＦ）は、それぞれｋ×ｊ個のトランスポンダ２１から出力された光信号の特定波長を抽出する。ｋ×ｊ個の可変フィルタ２２が抽出する特定波長は設定により変更することができる。ｋ×ｊ個の可変フィルタ２２は、抽出した光信号をそれぞれｋ個のクロスコネクトスイッチ２３へ出力する。
【０１２９】
ｋ個のクロスコネクトスイッチ２３（ＯＸＣ）は、それぞれｋ×ｊ個の可変フィルタ２２から出力された光信号の経路を切り替えるｊ×ｊのクロスコネクトスイッチである。ｋ個のクロスコネクトスイッチ２３は、経路を切り替えた光信号をそれぞれｍ×ｉ個のカプラ２４へ出力する。
【０１３０】
ｍ×ｉ個のカプラ２４（ＣＰＬ）のそれぞれは、ｋ個のクロスコネクトスイッチ２３から出力されたｎ個の光信号を合成するｎ×１のカプラである。ｍ×ｉ個のカプラ２４は、合成した光信号をそれぞれ増幅器２５＃１１〜２５＃１ｉ，…，２５＃ｍ１〜２５＃ｍｉへ出力する。
【０１３１】
ｍ×ｉ個の増幅器２５＃１１〜２５＃１ｉ，…，２５＃ｍ１〜２５＃ｍｉは、それぞれｍ×ｉ個のカプラ２４から出力された光信号を増幅する。増幅器２５＃１１〜２５＃１ｉ，…，２５＃ｍ１〜２５＃ｍｉは、増幅した光信号をそれぞれ波長選択スイッチ２６＃１〜２６＃ｍへ出力する。
【０１３２】
ｍ個の波長選択スイッチ２６＃１〜２６＃ｍ（ＷＳＳ）は、それぞれ増幅器２５＃１１〜２５＃１ｉ，…，２５＃ｍ１〜２５＃ｍｉから出力されたｍ個の光信号に含まれる特定波長の光信号を選択して合波するｉ×１の波長選択スイッチである。波長選択スイッチ２６＃１〜２６＃ｍは、合波した光信号をそれぞれカプラ２７＃１〜２７＃ｍへ出力する。
【０１３３】
ｍ個のカプラ２７＃１〜２７＃ｍ（ＣＰＬ）は、それぞれ波長選択スイッチ２６＃１〜２６＃ｍから出力された光信号と、他の方路からの各光信号と、を合成するｍ×１カプラである。カプラ２７＃１〜２７＃ｍは、合成した光信号をそれぞれ増幅器２８＃１〜２８＃ｍへ出力する（アド）。ｍ個の増幅器２８＃１〜２８＃ｍは、それぞれカプラ２７＃１〜２７＃ｍから出力された光信号を増幅する。増幅器２８＃１〜２８＃ｍは、増幅した光信号をそれぞれ方路＃１〜＃ｍへ出力する。
【０１３４】
ｍ個のＬＤバンク２９＃１〜２９＃ｍは、それぞれ方路＃１〜＃ｍに対応して設けられている。ＬＤバンク２９＃１〜２９＃ｍは、それぞれ制御部２９＃１ａ〜２９＃ｍａと、ＬＤ２９＃１１〜２９＃１ｐ，…，２９＃ｍ１〜２９＃ｍｐと、光スイッチ２９＃１ｂ〜２９＃ｍｂと、を備えている。ＬＤバンク２９＃１〜２９＃ｍは、図２に示したＬＤバンク１９＃１〜１９＃ｍと同様の構成である。
【０１３５】
これにより、増幅器２５＃１１〜２５＃１ｉのうちの励起光パワーが不足する増幅器に対してＬＤバンク２９＃１からの励起光を供給することができる。ここではＬＤバンク２９＃１について説明したが、ＬＤバンク２９＃２〜２９＃ｍも同様に、それぞれ増幅器２５＃２１〜２５＃２ｉ，…，２５＃ｍ１〜２５＃ｍｉのうちの励起光パワーが不足する増幅器に対して励起光を供給することができる。
【０１３６】
なお、図２２に示した方路数、波長多重光に含まれる波長数、各ＬＤバンクを適用する範囲、各ＬＤの個数、各スイッチのポート数、各増幅器の位置などは一例を表すものである。したがって、図２２に示した構成を種々変更することが可能である。たとえば、ＬＤバンク２９＃１〜２９＃ｍからの励起光の供給を受ける各増幅器は、増幅器２５＃１１〜２５＃１ｉ，…，２５＃ｍ１〜２５＃ｍｉに限らず、光信号を分岐する切替部の各経路に設けられた増幅器に適用することができる。
【０１３７】
また、ＬＤバンク２９＃１〜２９＃ｍの個数（図２２の例ではｍ）や光スイッチ２９＃１ｂ〜２９＃ｍｂのポート数は、励起光の供給先の増幅器の数や、励起光の供給先の各増幅器にあらかじめもたせておく増幅能力などによって最適な値が決められる。
【０１３８】
また、図２２に示した光挿入分岐装置２００に対して、図３〜図２０に示した光挿入分岐装置２００の具体例や変形例などを適用することができる。また、図２２に示した光挿入分岐装置２００において、図２１に示した光挿入分岐装置２００のように、ＬＤバンク２９＃１〜２９＃ｍの機能をまとめたＬＤバンクであって、方路＃１〜＃ｍのすべてに対応してＬＤバンクを設けてもよい。
【０１３９】
以上説明したように、光切替装置および通信システムによれば、外部から供給される励起光を用いて光信号を増幅可能な複数の増幅器と、励起光を生成する光源と、が光スイッチで接続される。これにより、挿入または分岐の状況により増幅能力が不足する増幅器へ励起光を供給することができる。このため、光信号の増幅を効率よく行うことができる。
【０１４０】
たとえば、ＯＡＤＭなどにおいてＣＤＣ構成を実現する場合は多くの増幅器が設けられることになるが、増幅能力が不足する増幅器へ励起光を供給する構成によりコストを下げることができる。また、ＬＤの数を減らすことが可能であるため、装置のサイズや消費電力の低減を図ることができる。
【０１４１】
上述した実施の形態に関し、さらに以下の付記を開示する。
【０１４２】
（付記１）複数の光信号が波長多重される波長多重光に対する前記光信号の挿入および分岐の少なくともいずれかを行う切替部と、
前記切替部に含まれる光経路に設けられ、供給される励起光を用いて前記光信号を増幅可能な複数の増幅器と、
前記励起光を生成する光源と、
前記光源によって生成された励起光を前記増幅器のいずれかへ供給する光スイッチと、
を備えることを特徴とする光切替装置。
【０１４３】
（付記２）前記切替部は、前記波長多重光を波長に応じて複数の光経路に振り分ける波長選択スイッチを含み、
前記複数の増幅器は、それぞれ前記複数の光経路に設けられていることを特徴とする付記１に記載の光切替装置。
【０１４４】
（付記３）複数の前記光源を備え、
前記光スイッチは、前記複数の光源によって生成された各励起光をそれぞれ前記増幅器のいずれかへ供給することを特徴とする付記１または２に記載の光切替装置。
【０１４５】
（付記４）前記光スイッチは、前記光源と前記複数の増幅器とを接続する光クロスコネクトであることを特徴とする付記１〜３のいずれか一つに記載の光切替装置。
【０１４６】
（付記５）前記複数の光源は、前記増幅器より数が少ないことを特徴とする付記１〜４のいずれか一つに記載の光切替装置。
【０１４７】
（付記６）前記複数の増幅器のうちの増幅能力が不足する増幅器を特定し、特定した前記増幅器へ前記励起光を供給するように前記光源および前記光スイッチを制御する制御部を備えることを特徴とする付記１〜５のいずれか一つに記載の光切替装置。
【０１４８】
（付記７）前記制御部は、前記複数の増幅器へ入力される各光信号の波長数を取得し、取得した前記各光信号の波長数に基づいて前記増幅能力が不足する増幅器を特定することを特徴とする付記６に記載の光切替装置。
【０１４９】
（付記８）前記制御部は、前記複数の増幅器へ入力される前記各光信号の波長数の変更を示す変更情報を取得し、取得した前記変更情報に基づいて前記変更の前に前記光源および前記光スイッチを制御することを特徴とする付記６または７に記載の光切替装置。
【０１５０】
（付記９）前記切替部は、前記光信号を波長に応じて複数の光経路に振り分ける波長選択スイッチを含み、
前記制御部は、前記波長選択スイッチが前記複数の光経路に振り分ける各光信号の波長数を取得し、取得した前記各光信号の波長数に基づいて前記増幅能力が不足する増幅器を特定することを特徴とする付記６に記載の光切替装置。
【０１５１】
（付記１０）前記複数の増幅器のそれぞれは、自身の光源によって生成した内部励起光を用いて前記光信号を増幅し、
前記制御部は、前記複数の増幅器の前記内部励起光のパワーを示す励起パワー情報を取得し、取得した前記励起パワー情報に基づいて前記増幅能力が不足する増幅器を特定することを特徴とする付記６に記載の光切替装置。
【０１５２】
（付記１１）前記制御部は、前記複数の増幅器が出力する光信号のパワーを示す出力パワー情報を取得し、取得した前記出力パワー情報に基づいて前記増幅能力が不足する増幅器を特定することを特徴とする付記６に記載の光切替装置。
【０１５３】
（付記１２）前記切替部によって分岐された各光信号を受信する複数の受信部を備え、
前記制御部は、前記複数の受信部のうちの前記光信号の受信パワーが閾値を下回る受信部を特定し、前記複数の増幅器のうちの特定した前記受信部に対応する増幅器を特定することを特徴とする付記６に記載の光切替装置。
【０１５４】
（付記１３）前記複数の増幅器のそれぞれは、自身の増幅能力が不足する場合にリクエスト信号を送信し、
前記リクエスト信号を送信した前記増幅器へ前記励起光を供給するように前記光源および前記光スイッチを制御する制御部を備えることを特徴とする付記１〜５のいずれか一つに記載の光切替装置。
【０１５５】
（付記１４）前記複数の増幅器のそれぞれは、自身の光源によって生成した内部励起光を用いて前記光信号を増幅するとともに、前記光スイッチから前記励起光を供給されている場合に、前記光スイッチからの前記励起光と前記内部励起光とのパワーの比率を所定の比率に調節することを特徴とする付記１〜１３のいずれか一つに記載の光切替装置。
【０１５６】
（付記１５）前記切替部は、複数の光経路から出力された複数の前記光信号を波長によって選択して合波する波長選択スイッチを含み、
前記複数の増幅器は、それぞれ前記複数の光経路に設けられていることを特徴とする付記１〜１４のいずれか一つに記載の光切替装置。
【０１５７】
（付記１６）前記複数の増幅器のそれぞれは、
前記供給される励起光が入力される入力ポートと、
前記入力ポートから入力された励起光および前記光信号を通過させる増幅媒体と、
を備えることを特徴とする付記１〜１５のいずれか一つに記載の光切替装置。
【０１５８】
（付記１７）付記１〜１６のいずれか一つに記載の光切替装置を複数接続して前記波長多重光を伝送することを特徴とする通信システム。
【符号の説明】
【０１５９】
１１１，３００，１１＃１〜１１＃ｍ，１４＃１１〜１４＃ｍｉ，２５＃１１〜２５＃ｍｉ，２８＃１〜２８＃ｍ  増幅器
１２＃１〜１２＃ｍ，１５  スプリッタ
１３＃１〜１３＃ｍ，２６＃１〜２６＃ｍ  波長選択スイッチ
１６，２３  クロスコネクトスイッチ
１７，２２  可変フィルタ
１８，２１  トランスポンダ
１１３  光スイッチ
２４，２７＃１〜２７＃ｍ  カプラ
３１０，３３０  増幅部
３１１，３１４，３３１，３３４  分岐部
３１２，３３２，３４２  合成部
３１３，３３３  増幅媒体
３２０  可変減衰器
３４１  入力ポート
８００  通信システム
８１１，８１２，８１３，８１４，８１５  Ｒ−ＯＡＤＭノード
Ｇ１〜Ｇｍ  グループ
【図１】
0005614252.tif 000002
【図２】
0005614252.tif 000003
【図３】
0005614252.tif 000004
【図４】
0005614252.tif 000005
【図５】
0005614252.tif 000006
【図６】
0005614252.tif 000007
【図７】
0005614252.tif 000008
【図８】
0005614252.tif 000009
【図９】
0005614252.tif 000010
【図１０】
0005614252.tif 000011
【図１１】
0005614252.tif 000012
【図１２】
0005614252.tif 000013
【図１３】
0005614252.tif 000014
【図１４】
0005614252.tif 000015
【図１５】
0005614252.tif 000016
【図１６】
0005614252.tif 000017
【図１７】
0005614252.tif 000018
【図１８】
0005614252.tif 000019
【図１９】
0005614252.tif 000020
【図２０】
0005614252.tif 000021
【図２１】
0005614252.tif 000022
【図２２】
0005614252.tif 000023